(57)【要約】      （修正有）【課題】製品を薄型化にすることができると共に、発光ダイオードの放熱問題を解決できる放熱笠とこれを利用する電気スタンドを提供する。【解決手段】電気スタンド３０は、放熱笠３４と、ベース３２とを含む放熱笠３４は、発光子が組み付けられた笠３４０６と、アーム３４０４と、を含む。アーム３４０４は、笠３４０６に連接される第１端３４ａと、第２端３４ｂと、を有し、笠３４０６に一体成形され、ベース３２は、アーム３４０４の前記第２端３４ｂに枢着される。【選択図】図１
0003154733.tif 000002
【実用新案登録請求の範囲】
【請求項１】
放熱笠と、ベースと、を含む電気スタンドにおいて、
前記放熱笠は、発光子が組み付けられた笠と、アームと、を含み、前記アームは、前記笠に連接される第１端と、第２端と、を有し、前記笠に一体成形され、
前記ベースは、前記アームの前記第２端に枢着されることを特徴とする電気スタンド。
【請求項２】
前記放熱笠は、少なくとも一つの湾折部を有し、前記湾折部は、前記第１端と前記第２端の間に設けられることを特徴とする、請求項１に記載の電気スタンド。
【請求項３】
前記ベースは、更に、本体と、延長部と、を含み、前記延長部は、前記本体のエッジから延長し、前記放熱笠の前記湾折部の湾折方向に向いており、前記放熱笠の枢着箇所は、前記延長部の前記本体と連接する箇所に近接することを特徴とする、請求項２に記載の電気スタンド。
【請求項４】
前記延長部の表面には、更に、制御インターフェースが設けられることを特徴とする、請求項３に記載の電気スタンド。
【請求項５】
前記放熱笠は、アルミシートを湾折して形成される中空体であり、その末端には開口が設けられることを特徴とする、請求項１から４のいずれか一項に記載の電気スタンド。
【請求項６】
前記放熱笠は、アルミを押出加工して形成される中空体であり、その末端には開口が設けられることを特徴とする、請求項１から４のいずれか一項に記載の電気スタンド。
【請求項７】
前記放熱笠は、前記発光子が設けられた面の反対面には、放熱穴が複数設けられることを特徴とする、請求項１から６のいずれか一項に記載の電気スタンド。
【請求項８】
前記発光子は発光ダイオードであることを特徴とする、請求項１から７のいずれか一項に記載の電気スタンド。
【請求項９】
前記笠はランプ収容空間を有し、前記ランプ収容空間には前記発光子が設けられ、前記放熱笠は、更に、前記ランプ収容空間をカバーする透明マスクを含むことを特徴とする、請求項１から８のいずれか一項に記載の電気スタンド。
【請求項１０】
前記ランプ収容空間は、更に、電源と電気的に連接するコンセントを有し、前記コンセントには前記発光子が電気的に連接されることを特徴とする、請求項９に記載の電気スタンド。
【請求項１１】
前記アームの前記第２端は、枢着構造を介して前記ベースに枢着され、前記枢着構造は、前記ベースに固定される枢着軸と、前記アームの前記第２端に固定されるスリーブと、を含み、前記スリーブは、前記枢着軸を覆い、前記枢着軸に対して回動可能であることを特徴とする、請求項１から１０のいずれか一項に記載の電気スタンド。
【請求項１２】
前記放熱笠は二つの湾折部を有することを特徴とする、請求項２から４のいずれか一項に記載の電気スタンド。
【請求項１３】
前記ベースに対して前記放熱笠を旋回することにより、前記笠を前記ベースから最大離れ可能の距離に移動したときには、前記電気スタンドの重心の鉛直投影が前記ベースの範囲内に位置することを特徴とする、請求項１から１２のいずれか一項に記載の電気スタンド。
【請求項１４】
電気スタンドに設けられ、発光子が組み付けられた笠と、アームと、を含む放熱笠において、
前記アームは、前記笠に連接される第１端と、第２端と、を有し、枢着された前記第２端により前記放熱笠が旋回可能であり、前記アームが前記笠に一体成形されることを特徴とする放熱笠。
【請求項１５】
少なくとも一つの湾折部を有することを特徴とする、請求項１４に記載の放熱笠。
【請求項１６】
前記電気スタンドには、更に、ベースを含み、前記アームの第２端が前記ベースに枢着されることを特徴とする、請求項１４又は１５に記載の放熱笠。
【請求項１７】
前記ベースは、更に、本体と、延長部と、を含み、前記延長部は、前記本体のエッジから延長し、前記放熱笠の前記湾折部の湾折方向に向いており、前記放熱笠の枢着箇所は、前記延長部の前記本体と連接する箇所に近接することを特徴とする、請求項１６に記載の放熱笠。
【請求項１８】
前記延長部の表面には、更に、制御インターフェースが設けられることを特徴とする、請求項１７に記載の放熱笠。
【請求項１９】
前記放熱笠は、アルミシートを湾折して形成される中空体であり、その末端には開口が設けられることを特徴とする、請求項１４から１８のいずれか一項に記載の放熱笠。
【請求項２０】
前記放熱笠は、アルミを押出加工して形成される中空体であり、その末端には開口が設けられることを特徴とする、請求項１４から１８のいずれか一項に記載の放熱笠。
【請求項２１】
前記放熱笠は、前記発光子が設けられた面の反対面には、放熱穴が複数設けられることを特徴とする、請求項１４から２０のいずれか一項に記載の放熱笠。
【請求項２２】
前記発光子は発光ダイオードであることを特徴とする、請求項１４から２１のいずれか一項に記載の放熱笠。
【請求項２３】
前記笠はランプ収容空間を有し、前記ランプ収容空間には前記発光子が設けられ、前記放熱笠は、更に、前記ランプ収容空間をカバーする透明マスクを含むことを特徴とする、請求項１４から２２のいずれか一項に記載の放熱笠。
【請求項２４】
前記ランプ収容空間は、更に、電源と電気的に連接するコンセントを有し、前記コンセントには前記発光子が電気的に連接されることを特徴とする、請求項２３に記載の放熱笠。
【請求項２５】
前記アームの前記第２端は、枢着構造を介して前記ベースに枢着され、前記枢着構造は、前記ベースに固定される枢着軸と、前記アームの前記第２端に固定されるスリーブと、を含み、前記スリーブは、前記枢着軸を覆い、前記枢着軸に対して回動可能であることを特徴とする、請求項１６から１８のいずれか一項に記載の放熱笠。
【請求項２６】
前記放熱笠は二つの湾折部を有することを特徴とする、請求項１５に記載の放熱笠。
【請求項２７】
前記ベースに対して前記放熱笠を旋回することにより、前記笠を前記ベースから最大離れ可能の距離に移動したときには、前記電気スタンドの重心の鉛直投影が前記ベースの範囲内に位置することを特徴とする、請求項１６から１８、及び２５のいずれか一項に記載の放熱笠。
【考案の詳細な説明】
【技術分野】
【０００１】
本考案は、放熱笠とこれを利用する電気スタンドに関するものである。
【背景技術】
【０００２】
電気スタンドは、テーブル、ソファー又はベッドでの本読みの照明に利用される。従来、電気スタンドの光源として、電灯が使用されていたが、電力の消費が多いので、発光ダイオードが電気スタンドの光源として使用されるようになった。しかし、照明用の発光ダイオードから多量の熱が放出されるので、放熱効果が良くなければ、発光ダイオードの寿命が短くなるという問題がある。
【０００３】
照明用の発光ダイオードの放熱効果を向上するために、発光ダイオードの背面には、構造が複雑なアルミ製の放熱フィンが設けられることが一般である。しかし、消費者からの製品を薄型化にする要請が強い現状では、発光ダイオードの背面に構造が複雑な放熱フィンを設けると、製品の薄型化が困難であった。そして製品を薄型化にしても、発光ダイオードの放熱問題は解決されなければならない。
【考案の概要】
【考案が解決しようとする課題】
【０００４】
本考案の主な目的は、製品を薄型化にすることができると共に、発光ダイオードの放熱問題を解決できる放熱笠とこれを利用する電気スタンドを提供することにある。
【課題を解決するための手段】
【０００５】
本考案の請求項１に記載の電気スタンドによると、放熱笠と、ベースと、を含む電気スタンドにおいて、前記放熱笠は、発光子が組み付けられた笠と、アームと、を含み、前記アームは、前記笠に連接される第１端と、第２端と、を有し、前記笠に一体成形され、前記ベースは、前記アームの前記第２端に枢着されることを特徴とする電気スタンドである。
【０００６】
本考案の請求項２に記載の電気スタンドによると、前記放熱笠は、少なくとも一つの湾折部を有し、前記湾折部は、前記第１端と前記第２端の間に設けられる。
【０００７】
本考案の請求項３に記載の電気スタンドによると、前記ベースは、更に、本体と、延長部と、を含み、前記延長部は、前記本体のエッジから延長し、前記放熱笠の前記湾折部の湾折方向に向いており、前記放熱笠の枢着箇所は、前記延長部の前記本体と連接する箇所に近接する。
【０００８】
本考案の請求項４に記載の電気スタンドによると、前記延長部の表面には、更に、制御インターフェースが設けられる。
【０００９】
本考案の請求項５に記載の電気スタンドによると、前記放熱笠は、アルミシートを湾折して形成される中空体であり、その末端には開口が設けられる。
【００１０】
本考案の請求項６に記載の電気スタンドによると、前記放熱笠は、アルミを押出加工して形成される中空体であり、その末端には開口が設けられる。
【００１１】
本考案の請求項７に記載の電気スタンドによると、前記放熱笠は、前記発光子が設けられた面の反対面には、放熱穴が複数設けられる。
【００１２】
本考案の請求項８に記載の電気スタンドによると、前記発光子は発光ダイオードである。
【００１３】
本考案の請求項９に記載の電気スタンドによると、前記笠はランプ収容空間を有し、前記ランプ収容空間には前記発光子が設けられ、前記放熱笠は、更に、前記ランプ収容空間をカバーする透明マスクを含む。
【００１４】
本考案の請求項１０に記載の電気スタンドによると、前記ランプ収容空間は、更に、電源と電気的に連接するコンセントを有し、前記コンセントには前記発光子が電気的に連接される。
【００１５】
本考案の請求項１１に記載の電気スタンドによると、前記アームの前記第２端は、枢着構造を介して前記ベースに枢着され、前記枢着構造は、前記ベースに固定される枢着軸と、前記アームの前記第２端に固定されるスリーブと、を含み、前記スリーブは、前記枢着軸を覆い、前記枢着軸に対して回動可能である。
【００１６】
本考案の請求項１２に記載の電気スタンドによると、前記放熱笠は二つの湾折部を有する。
【００１７】
本考案の請求項１３に記載の電気スタンドによると、前記ベースに対して前記放熱笠を旋回することにより、前記笠を前記ベースから最大離れ可能の距離に移動したときには、前記電気スタンドの重心の鉛直投影が前記ベースの範囲内に位置する。
【００１８】
本考案の請求項１４に記載の放熱笠によると、電気スタンドに設けられ、発光子が組み付けられた笠と、アームと、を含む放熱笠において、前記アームは、前記笠に連接される第１端と、第２端と、を有し、枢着された前記第２端により前記放熱笠が旋回可能であり、前記アームが前記笠に一体成形されることを特徴とする放熱笠である。
【００１９】
本考案の請求項１５に記載の放熱笠によると、少なくとも一つの湾折部を有する。
【００２０】
本考案の請求項１６に記載の放熱笠によると、前記電気スタンドには、更に、ベースを含み、前記アームの第２端が前記ベースに枢着される。
【００２１】
本考案の請求項１７に記載の放熱笠によると、前記ベースは、更に、本体と、延長部と、を含み、前記延長部は、前記本体のエッジから延長し、前記放熱笠の前記湾折部の湾折方向に向いており、前記放熱笠の枢着箇所は、前記延長部の前記本体と連接する箇所に近接する。
【００２２】
本考案の請求項１８に記載の放熱笠によると、前記延長部の表面には、更に、制御インターフェースが設けられる。
【００２３】
本考案の請求項１９に記載の放熱笠によると、前記放熱笠は、アルミシートを湾折して形成される中空体であり、その末端には開口が設けられる。
【００２４】
本考案の請求項２０に記載の放熱笠によると、前記放熱笠は、アルミを押出加工して形成される中空体であり、その末端には開口が設けられる。
【００２５】
本考案の請求項２１に記載の放熱笠によると、前記放熱笠は、前記発光子が設けられた面の反対面には、放熱穴が複数設けられる。
【００２６】
本考案の請求項２２に記載の放熱笠によると、前記発光子は発光ダイオードである。
【００２７】
本考案の請求項２３に記載の放熱笠によると、前記笠はランプ収容空間を有し、前記ランプ収容空間には前記発光子が設けられ、前記放熱笠は、更に、前記ランプ収容空間をカバーする透明マスクを含む。
【００２８】
本考案の請求項２４に記載の放熱笠によると、前記ランプ収容空間は、更に、電源と電気的に連接するコンセントを有し、前記コンセントには前記発光子が電気的に連接される。
【００２９】
本考案の請求項２５に記載の放熱笠によると、前記アームの前記第２端は、枢着構造を介して前記ベースに枢着され、前記枢着構造は、前記ベースに固定される枢着軸と、前記アームの前記第２端に固定されるスリーブと、を含み、前記スリーブは、前記枢着軸を覆い、前記枢着軸に対して回動可能である。
【００３０】
本考案の請求項２６に記載の放熱笠によると、前記放熱笠は二つの湾折部を有する。
【００３１】
本考案の請求項２７に記載の放熱笠によると、前記ベースに対して前記放熱笠を旋回することにより、前記笠を前記ベースから最大離れ可能の距離に移動したときには、前記電気スタンドの重心の鉛直投影が前記ベースの範囲内に位置する。
【考案の効果】
【００３２】
本考案の放熱笠とこれを利用する電気スタンドによれば、製品を薄型化にすることができると共に、発光ダイオードの放熱問題を解決できるという効果を有する。
【図面の簡単な説明】
【００３３】
【図１】本考案の電気スタンドの模式図である。
【図２】本考案の放熱笠の発光子に近接する部分の拡大図である。
【図３】本考案の放熱笠の模式図である。
【考案を実施するための形態】
【００３４】
以下、本考案の実施の形態を図面に基づいて説明する。まず、図１参照する。図１は本考案の電気スタンドの模式図である。本考案の電気スタンド３０は、ベース３２と、放熱笠３４と、を含む。
【００３５】
前記放熱笠３４は、一体の構造であり、一体成形された、アーム３４０４と、笠３４０６と、を含み、その機能が従来の個別に成形されたアームおよび笠と同じである。前記笠３４０６には発光子３６が組み付けられ、前記発光子３６により光線Ｌが発生される。前記発光子３６は発光ダイオードである。前記アーム３４０４の第１端３４ａが前記笠３４０６に連接され、前記アーム３４０４の第２端３４ｂが前記ベース３２に枢着される。放熱笠３４は、放熱笠３４がユーザに向くように湾折方向Ｄ１に沿って湾折することにより、光線Ｌの照明角度を最適に調整することができる。
【００３６】
前記放熱笠３４は、前記発光子３６が設けられた面の反対面（第１端３４ａに近接する上面）には、放熱穴４２が複数設けられる。これらの放熱穴４２により、見栄えが良くなると共に、放熱効果も向上する。すなわち、発光子３６からの熱が気流の対流により放熱される。
【００３７】
前記ベース３２は、更に、本体３２０２と、延長部３２０４と、を含む。前記延長部３２０４は、前記本体３２０２のエッジから延長し、前記放熱笠３４の前記湾折部３４０２の湾折方向Ｄ１に向いている。ユーザが前記放熱笠３４を湾折方向Ｄ１に沿って旋回しているときに、前記延長部３２０４が電気スタンド３０を安定に支持することができ、電気スタンド３０の倒れを防止することができる。
【００３８】
前記延長部３２０４の表面には、更に、制御インターフェース３２０６が設けられる。前記制御インターフェース３２０６には、ユーザが押圧可能なスイッチと、照度を調整するための電子制御子と、が設けられる。前記延長部３２０４がユーザへ伸びるので、ユーザは前記制御インターフェース３２０６を容易に操作することができる。
【００３９】
前記放熱笠３４のアーム３４０４の枢着箇所は、前記延長部３２０４の前記本体３２０２と連接する箇所に近接する。具体的には、前記アーム３４０４の前記第２端３４ｂは、枢着構造を介して前記ベース３２に枢着される。前記枢着構造は、前記ベース３２に固定される枢着軸６２と、前記アーム３４０４の前記第２端３４ｂに固定されるスリーブ６０と、を含む。前記スリーブ６０は、前記枢着軸６２を覆い、前記枢着軸６２に対して回動可能である。これにより、固定されたベース３２に対して前記放熱笠３４を回動することができる。
【００４０】
前記放熱笠３４には、少なくとも一つの湾折部３４０２が設けられることが好ましい。本実施形態では、前記放熱笠３４には二つの湾折部３４０２が設けられる。低い湾折部３４０２により、正常時には、前記放熱笠３４が湾折方向Ｄ１の反対方向に湾折され、高い湾折部３４０２により、前記放熱笠３４が湾折方向Ｄ１に湾折される。高い湾折部３４０２は前記アーム３４０４と前記笠３４０６の連接箇所である。このように、高い湾折部３４０２により、発光子３６が希望の照明区域まで伸び、低い湾折部３４０２により、電気スタンド３０全体が安定する。
【００４１】
具体的には、前記ベース３２に対して前記放熱笠３４を旋回することにより、前記笠３４０６を前記ベース３２から最大離れ可能の距離に移動したときには、前記電気スタンド３０の重心の鉛直投影が前記ベース３２の範囲内に位置する。これにより、前記放熱笠３４をどのように旋回しても、前記ベース３２により電気スタンド３０全体が安定する。
【００４２】
見栄え及びコストを考慮すると、前記放熱笠３４は熱伝導係数が高いアルミを採用することが好ましい。前記放熱笠３４は、アルミシートを湾折して形成される中空体であってもよく、その末端には開口４０が設けられる。このような構成によれば、前記中空体の内部にある熱空気が対流により排出され、放熱効果が向上する。
【００４３】
また、前記放熱笠３４は、アルミを押出加工して形成される中空体であってもよく、その末端には開口４０が設けられる。その他、レーザカッティング加工により、前記放熱笠３４を成形してもよい。
【００４４】
次に、図２を参照する。図２は本考案の放熱笠３４の発光子３６に近接する部分の拡大図である。前記笠３４０６はランプ収容空間５２を有し、前記ランプ収容空間５２には発光子３６が設けられる。前記放熱笠３４は、更に、前記ランプ収容空間５２をカバーする透明マスク５０を含む。
【００４５】
前記ランプ収容空間５２は、更に、電源と電気的に連接するコンセント５４を有す。図２に示すように、前記コンセント５４には、多数の発光子３６から構成される発光モジュールが電気的に連接される。
【００４６】
図３を参照する。図３は本考案の放熱笠３４の模式図である。本考案の放熱笠３４は一体の構造であり、前記アーム３４０４の第１端３４ａが前記笠３４０６に連接され、前記笠３４０６には発光子３６が組み付けられる。前記発光子３６は発光ダイオードである。前記アーム３４０４の第２端３４ｂが前記ベース３２に枢着されることにより、前記放熱笠３４を旋回することができる。前記放熱笠３４には少なくとも一つの湾折部３４０２が設けられる。本実施形態では、前記放熱笠３４には湾折部３４０２が二つ設けられる。しかし、前記放熱笠３４が卓面に置くベース３２に固定されない場合には、湾折部３４０２を二つ設ける必要がない。
【００４７】
前記放熱笠３４のアーム３４０４の第２端３４ｂは、ベッドに固定されてもよく、テーブルに固定されてもよく、ソファーに固定されてもよい。図１に示すように、前記放熱笠３４のアーム３４０４の第２端３４ｂがベース３２に固定されて電気スタンド３０になる。本考案の放熱笠３４は、一体な金属部材であり、従来のもののアームと笠の機能を有するので、見栄えが更に良くなり、放熱効果が向上する。
【００４８】
本考案の放熱笠３４は、中空体であるので、材料コストを低減することができ、放熱効果を増加することもできる。前記放熱笠３４は、アルミシートを湾折して形成されてもよく、アルミを押出加工して形成されてもよく、レーザカッティング加工により形成されてもよい。その末端には開口４０が設けられ、前記開口４０により熱空気が対流になり排出される。前記放熱笠３４の中段には湾折部３４０２があるので、前記放熱笠３４がアルミシートを湾折して形成される場合には、湾折箇所の位置を一致にするために、補助ジグを使用することが必要である。
【００４９】
また、前記放熱笠３４は、前記発光子３６が設けられた面の反対面には、放熱穴４２が複数設けられ、これらの放熱穴４２により、見栄えが更に良くなり、放熱効果が向上する。
【００５０】
前記発光子３６には透明マスク５０がカバーされるので、汚れやホコリなどが前記発光子３６に付着しない。
【００５１】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【産業上の利用可能性】
【００５２】
本考案は、電気スタンドに適用することができる。
【符号の説明】
【００５３】
３０  電気スタンド
３２  ベース
３４  放熱笠
３４ａ  第１端
３４ｂ  第２端
３６  発光子
４０  開口
４２  放熱穴
５０  透明マスク
５２  ランプ収容空間
５４  コンセント
６０  スリーブ
６２  枢着軸
３２０２  本体
３２０４  延長部
３２０６  制御インターフェース
３４０２  湾折部
３４０４  アーム
３４０６  笠
Ｌ  光線
Ｄ１  湾折方向
【図１】
0003154733.tif 000003
【図２】
0003154733.tif 000004
【図３】
0003154733.tif 000005